(57)【要約】【課題】特殊な専門技術を必要とせずに、短時間にねじ込み方向の一方向だけで固定でき、容易に比較的小さい力で、恒久的に緩みなく安定的に骨の接合と脱着ができるラグスクリュウを提供すること。【解決手段】ねじ込みによりネイルとラグスクリュウとを固定する構造にあって、ラグスクリュウの接合骨部分への初期食込みのために下穴加工用ドリル切刃を備えて、さらに結合骨への食込み後に被手術者のいかなる身体の自由運動においても恒久的に緩みなくロックできるラグスクリュウ構造を提供することを特徴とする。【選択図】図３
2014124524.tif 000002
【特許請求の範囲】
【請求項１】
ラグスクリュウを構成するラグスクリュウ本体を二条ねじ込みで押し込むことにより、ネイルとラグスクリュウを固定する固定構造であって、ラグスクリュウの先端にドリル切刃を備えると共に術後にそのドリル切刃を保護し、さらにラグスクリュウ本体とネイルの組立体の装着完了後にこれらの組立体構造が接合骨に対して恒久的に緩まない緩み止めを有することを特徴とするラグスクリュウおよびその緩み止め機構。
【発明の詳細な説明】
【技術分野】
【０００１】  この発明は、主に大腿骨骨折の骨接合手術に使用するインプラント用のネイルとラグスクリュウとの固定構造におけるラグスクリュウおよびその緩み止め機構に関する。
【背景技術】
【０００２】  従来から、ラグスクリュウを構成するストッパー・スクリュウのねじ込みによる押し込み力により、ネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【特許文献３】  特許出願  特願２０１２−１２８３７７
【特許文献４】  特許出願  特願２０１２−１８３６２４
【発明の開示】
【発明が解決しようとする課題】
【０００３】  しかしながら、上記の従来の固定構造によると、接合骨との装着後の組立体の安定性が良くなく、ぐらついたり、あるいはラグスクリュウ本体が軸方向に自然に進んだり、あるいは接合骨の成長により骨に対して緩むといった問題がある。【０００４】  この発明は上記事情に鑑みてなされたものであり、ラグスクリュウ先端にドリル切刃を備えることにより接合骨に容易に食込みでき、さらにネイルとラグスクリュウが安価に製作でき、しかも容易に短時間でかつ高い安定性を有して固定できるネイルとラグスクリュウの固定構造と同時に、ラグスクリュウ本体が接合骨に対して恒久的に緩まない機構を提供することを目的とする。
【課題を解決するための手段】
【０００５】  この発明は、上記課題を解決するため、以下の手段を採用する。
この発明に係るネイルとラグスクリュウとの固定構造はラグスクリュウの二条ねじのねじ込み先端に下穴加工のためのドリル切刃を備え、ラグスクリュウ後端部でそれに噛合うマスタースクリュウの外周にセレーション結合されるストッパーリングと嵌め殺しなどで結合される締めナットの六角穴溝への回し工具の差込み・ねじ込みによる押し込み力により、ネイルとラグスクリュウとを固定する固定構造であって、下穴加工後にドリル切刃の保護のためにドリル切刃より前に出る羽根形状のプロテクターを備え、さらにラグスクリュウにキー結合されるマスタースクリュウの外周にセレーション結合されるストッパーリングと嵌め殺しなどで結合される締めナットとの組み合わせ、さらにはストッパーリングの外径に形成されるオス・セレーションとネイルに切られるメス・セレーションの二重のセレーションの噛合いによって、さらにはセレーションの滑り止めの機構の構成による組合せによってネイルに対するラグスクリュウの軸方向の動き制限が形成され、ラグスクリュウが接合骨に対して周辺方向にも軸方向に動きが制限されて緩まないことを特徴とする。【０００６】  上記のような構成による締めナットに嵌め殺しなどで結合されるストッパーリングがその内径でマスタースクリュウとセレーション結合し、その外径でネイルとセレーション結合する二重セレーションによる組合せ機構は、締めナットを回転させることによりそれに嵌め殺しなどで結合されるストッパーリングを前進させてストッパーリングの外径セレーションがネイルのセレーションと噛合い停止位置で止まるとロック機構が形成されるもので、接合骨とラグスクリュウの間において周辺方向に完全にロックされ、軸方向は動きが制限されて緩まない高い静止安定性を保持することを特徴とする。
【発明の効果】
【０００７】  以上のように、本発明に係るラグスクリュウの先端のドリル切刃構造と、ラグスクリュウとキー結合されるマスタースクリュウを内外径にセレーションを有するストッパーリングを介してネイルとロックする組合せ機構は、接合骨とラグスクリュウとが容易に、短時間に、かつ、高度な安定性を有してねじ込み方向の一方向だけで緩み止めでき、熟練した技術を必要とせずに骨接合手術を安全に行うことができる利点がある。
【発明を実施するための最良の形態】
【０００８】  この発明に係る一実施形態について、図１、図２、図３を参照して説明する。【０００９】  図１はこの実施例に係るネイル７に噛合い挿入されるマスタースクリュウ２とそれにキー結合されるラグスクリュウ４とラグスクリュウ２の先端のドリル切刃４−１を保護するためのプロテクター３およびラグスクリュウ４の後端部のストッパーリング１と締めナット６の組合せ機構の全体図を断面表示したものであり、図２は図１の左側面図を表し、図３は図１の右側面図を表わす。【００１０】  この実施例に係るラグスクリュウ４は図１に示されるように、締めナット６の後部の六角などの窪み穴に回し工具を差し込んで回すことにより締めナット６にセレーション結合されるマスタースクリュウ２のネイル７に対する相対的回転により、それにキー結合されるラグスクリュウ４が回転前進することによってその前端のドリル切刃４−１が接合骨に食い込む構造のものである。【００１１】  ラグスクリュウ４の先端のドリル切刃４−１の接合骨への食付き工程が終了した後は、ラグスクリュウ４の内部穴に内接されているプロテクター３の後端部をそれにねじ結合され、ラグスクリュウ４と嵌め殺しなどで結合されるプロテクター用ナット５を回すことによりプロテクター３の先端のプロテクター羽根３−１をドリル切刃４−１より前に進ませてそれを保護する。【００１２】  図１に見られるように、ラグスクリュウ４の結合骨への食込み終了後において、マスタースクリュウ２の後端部の外径部のセレーションに噛合いそしてネイル７の内径部のセレーションに噛合う内外径でセレーション結合されるストッパーリング１をそれと嵌め殺しなどで結合される締めナット６を回すことにより、ストッパーリング１がネイル７にセレーション結合されてロック機構が完成し、従って、緩み止めの効果を発揮する。【００１３】  ラグスクリュウ４の後端部は図２に示されるように、プロテクター３の先端部が示され、その先端部は管材から作られるプロテクター３を図示のように開いて成形することによりドリル切刃４−１に切られる溝から突き出てドリル切刃４−１の保護を達成する。【００１４】  締めナット６の後端部には図３に示されるように、ラグスクリュウ４をネイル７に対して押し込むために回し工具を差し込み回すための六角などの窪み穴が備えられる。【００１５】  ラグスクリュウ４のねじ部は歯角６０°の標準形状の二条ねじを採用して接合骨に対する食込み進み速度を速めると共に、先端構造は図２に示されるように、ドリル切刃４−１の保護のためにプロテクター３のプロテクター羽根３−１が突き出る２か所の溝が備えられる。【００１６】  なお、この発明の技術範囲は上記実施の形態に限定されるものではなく、本発明の趣旨を逸脱しない範囲において種々の変更を加えることが可能である。
【産業上の利用可能性】
【００１７】  この発明によるラグスクリュウの利用により、特殊な専門技術を必要とせずに、ねじ込み方向の一方向だけで短時間に固定でき、容易に比較的軽い力で、緩みなく安定的に骨の接合維持および脱着を行うことができる。
【図面の簡単な説明】
【００１８】
【図１】この発明の一実施形態に係るラグスクリュウ４とマスタースクリュウ２の組合せ構造を説明するためのシステム構成図であり、ラグスクリュウ４の先端部のドリル切刃４−１を保護するための突き出るプロテクター３と後端部の緩み止めのためのストッパーリング１とネイル７のセレーション結合が示される。
【図２】この発明の一実施形態に係るラグスクリュウ４の前端部の側面視で、ドリル切刃４−１とプロテクター羽根３−１との噛合い関係を示す詳細図である。
【図３】この発明の一実施形態に係るラグスクリュウ４を押し込むための締めナット６の側面視であり、回し工具が差し込まれる六角窪み穴を示す詳細図である。
【符号の説明】
【００１９】１  ストッパーリング
２  マスタースクリュウ
３  プロテクター
３−１  プロテクター羽根
４  ラグスクリュウ
４−１  ドリル切刃
５  プロテクター用ナット
６  締めナット
７  ネイル
【図１】
2014124524.tif 000003
【図３】
2014124524.tif 000004
【図２】
2014124524.tif 000005